(57)【要約】【課題】情報処理装置が主導で画像通信装置により通信された通信に関する情報を管理する通信履歴管理情報を更新可能とする。【解決手段】画像通信装置で通信が終了時に（Ｓ１０１のＹｅｓ）、情報処理装置から画像通信装置に対してその画像通信装置により通信された通信に関する情報を要求し（Ｓ１０２）、画像通信装置で情報処理装置から通信に関する要求があると（Ｓ２０１のＹｅｓ）、その通信に関する情報を情報処理装置へ送出し（Ｓ２０２）、情報処理装置で画像通信装置からその通信に関する情報を受信すると（Ｓ１０３のＹｅｓ）、画像通信装置により通信された通信に関する情報を管理する通信履歴管理情報を更新する（Ｓ１０４）。【選択図】　　　図３
2004032096.tif 000002
【特許請求の範囲】
【請求項１】
画像情報を通信する画像通信装置と、該画像通信装置により通信された通信に関する情報を管理する情報処理装置とから構成される画像通信システムであって、
情報処理装置は、
所定のタイミングで、画像通信装置に対して該画像通信装置により通信された通信に関する情報を要求する要求手段と、
前記画像通信装置からの通信に関する情報に基づいて前記画像通信装置により通信された通信に関する情報を管理する通信履歴管理情報を更新する更新手段とを有し、
前記画像通信装置は、
前記情報処理装置から要求された前記通信に関する情報を前記情報処理装置へ送出する送出手段を有することを特徴とする画像通信システム。
【請求項２】
前記所定のタイミングは、前記画像通信装置が通信を終了したタイミングであることを特徴とする請求項１に記載の画像通信システム。
【請求項３】
前記所定のタイミングは、一定時間が経過する毎の周期的なタイミングであることを特徴とする請求項１に記載の画像通信システム。
【請求項４】
前記送出手段は、前記情報処理装置から要求された際に、未送出の通信に関する情報があるか否かを判定し、前記未送出の通信に関する情報がある場合に、前記通信に関する情報を前記情報処理装置へ送出することを特徴とする請求項１に記載の画像通信システム。
【請求項５】
前記通信に関する情報は、通信履歴情報及び通信される画像情報であることを特徴とする請求項１に記載の画像通信システム。
【請求項６】
前記更新手段は、前記通信に関する情報と前記画像情報とを対応させて前記通信履歴管理情報を更新することを特徴とする請求項５に記載の画像通信システム。
【請求項７】
画像情報を通信する画像通信装置と、該画像通信装置により通信された通信に関する情報を管理する情報処理装置とから構成される画像通信システムにおける通信履歴管理情報の更新方法であって、
所定のタイミングで、情報処理装置から画像通信装置に対して該画像通信装置により通信された通信に関する情報を要求する要求工程と、
要求された前記通信に関する情報を前記画像通信装置から前記情報処理装置へ通知する通知工程と、
前記画像通信装置からの通信に関する情報に基づいて前記画像通信装置により通信された通信に関する情報を管理する通信履歴管理情報を更新する更新工程とを有することを特徴とする通信履歴管理情報の更新方法。
【請求項８】
コンピュータを請求項１乃至請求項６の何れか一項に記載の情報処理装置及び画像通信装置として機能させるためのプログラム。
【請求項９】
請求項８に記載のプログラムが記録されたコンピュータ読み取り可能な記録媒体。
【発明の詳細な説明】
【０００１】
【発明の属する技術分野】
本発明は、画像情報を通信する画像通信装置と、該画像通信装置により通信された通信に関する情報を管理する情報処理装置とから構成される画像通信システム、通信履歴管理情報の更新方法、プログラム、並びに記録媒体に関するものである。
【０００２】
【従来の技術】
従来、ファクシミリ装置では、実行された送信や受信を管理する通信履歴情報をＲＡＭ（Ｒａｎｄｏｍ　Ａｃｃｅｓｓ　Ｍｅｍｏｒｙ）に保存しており、適時この情報をレポートとして出力しているが、ファクシミリ装置のＲＡＭ容量は大抵の場合それほど大きくないため、ＲＡＭ容量を超えた場合には一番古い通信履歴情報から上書きされ消去されてしまうという問題があった。
【０００３】
この問題を解決するために、特開平１０−３２２４９９号公報に記載の発明のように、ＰＣ（パーソナルコンピュータ）などとの情報の転送を行う手段を有するファクシミリ装置において、管理情報が最大管理数になった時点で消去の対象となった古い管理情報を、また、所定の周期でその時点の全ての管理情報を、また、管理情報や画情報が消去される場合にはその消去の対処となる管理情報や画情報を、また、管理情報が変更された場合には、新たに変更された管理情報をＰＣに転送し、ＰＣ上で管理情報を保管しておき、後から必要に応じてＰＣから各管理情報を読み出せるように管理する技術が開示されている。
【０００４】
【発明が解決しようとする課題】
しかしながら、特開平１０−３２２４９９号公報に記載のファクシミリ装置のように、ファクシミリ装置が主導でＰＣ側へ管理情報を送信する場合、ＰＣの電源が入ってなかった場合や、ＰＣに接続されていなかった場合などにＰＣへの管理情報の送信が行えないという問題があった。
【０００５】
また、ファクシミリ装置から一方的にＰＣ側へ管理情報などが送られるため、ＰＣ側が更新したいタイミングで通信履歴管理データベースを更新できず、ファクシミリ装置側との整合性が取れないなどの問題も生じていた。
【０００６】
本発明は、上記課題を解決するためになされたもので、情報処理装置が主導で画像通信装置により通信された通信に関する情報を管理する通信履歴管理情報を更新可能な画像通信システム、通信履歴管理情報の更新方法、プログラム、並びに記録媒体を提供することを目的とする。
【０００７】
【課題を解決するための手段】
上記目的を達成するために、本発明は、画像情報を通信する画像通信装置と、該画像通信装置により通信された通信に関する情報を管理する情報処理装置とから構成される画像通信システムであって、情報処理装置は、所定のタイミングで、画像通信装置に対して該画像通信装置により通信された通信に関する情報を要求する要求手段と、前記画像通信装置からの通信に関する情報に基づいて前記画像通信装置により通信された通信に関する情報を管理する通信履歴管理情報を更新する更新手段とを有し、前記画像通信装置は、前記情報処理装置から要求された前記通信に関する情報を前記情報処理装置へ送出する送出手段を有することを特徴とする。
【０００８】
また、上記目的を達成するために、本発明は、画像情報を通信する画像通信装置と、該画像通信装置により通信された通信に関する情報を管理する情報処理装置とから構成される画像通信システムにおける通信履歴管理情報の更新方法であって、所定のタイミングで、情報処理装置から画像通信装置に対して該画像通信装置により通信された通信に関する情報を要求する要求工程と、要求された前記通信に関する情報を前記画像通信装置から前記情報処理装置へ通知する通知工程と、前記画像通信装置からの通信に関する情報に基づいて前記画像通信装置により通信された通信に関する情報を管理する通信履歴管理情報を更新する更新工程とを有することを特徴とする。
【０００９】
【発明の実施の形態】
以下、図面を参照しながら本発明に係る実施の形態を詳細に説明する。
【００１０】
尚、本実施形態では、情報処理装置としてＰＣ（パーソナルコンピュータ）を、画像通信装置としてファクシミリ装置を例に説明するが、本発明はこれだけに限らず、例えば情報処理装置としてファクシミリサーバ装置や、画像通信装置としてファクシミリ通信機能を有する携帯通信端末などに本発明を適用することも可能である。
【００１１】
また、本実施形態では、ＰＣ（パーソナルコンピュータ）とファクシミリ装置がローカルに接続されたファクシミリシステムを例に説明するが、例えばＬＡＮやインターネットのようなネットワークを介してネットワーク接続される場合に本発明を適用することも可能である。
【００１２】
図１は、実施形態におけるファクシミリ装置の構成を示すブロック図である。図１において、１０１はＣＰＵであり、装置全体を制御するためのものである。１０２はＲＯＭであり、ＣＰＵ１０１の制御プログラムや制御データを格納するためのものである。１０３はＳＲＡＭ等で構成されるＲＡＭであり、プログラム制御変数やオペレータが登録した設置値、及び通信履歴情報等を格納するためのものである。１０４はＤＲＡＭ等で構成される画像メモリであり、画像データを蓄積するためのものである。１０５は画像処理部であり、画像処理としてエッジ強調、輝度／濃度変換、多値／２値変換を行うものである。１０６はＬＣＤ等で構成される表示部であり、装置の状態を知らせるためのものである。
【００１３】
１０７は記録制御処理部であり、２値データを記録用のネーティブコマンドに変換するものである。１０８はＪＰＥＧ、ＪＢＩＧ等で構成される画像データの伸長／圧縮処理部である。１０９はＰＣ−インターフェース制御部であり、ＰＣとの間で通信制御を行うものである。１１０はＰ１２８４規格準拠のＢｉ−ｄｉｒｅｃｔｒｙ（Ｂｉ−ｓｅｎｔｒｏ）で構成される双方向インターフェースであり、ＰＣと双方向で通信を行うためのものである。１１１は読取制御部であり、読み取り時の光量やモータの制御を行うものである。１１２はＣＳ／ＣＣＤイメージセンサ、原稿搬送機構等で構成されるシート原稿読取部（スキャナ）である。１１３はラインバッファであり、画像データの転送制御を行う場合に使用するものである。
【００１４】
１１４はプリンタインターフェースであり、プリンタ記述言語を解析し、画像データに変換するものである。１１５はＬＢＰ／ＢＪで構成される記録部であり、受信画像やファイルデータを記録紙に記録するものである。１１６はモデム等で構成される通信部であり、回線を介して他の通信機と相互交信を行わせるものである。１１７は時計ＩＣ等で構成される計時部であり、ＣＰＵ１０１の制御に基づき動作間隔を計測するものである。１１８はホストコンピュータと接続するＰ１２８４（Ｂｉ−ｃｅｎｔｒｏ）ケーブルである。１１９は公衆回線等と接続するモジュラーケーブルである。
【００１５】
図２は、実施形態におけるＰＣ（パーソナルコンピュータ）の構成を示すブロック図である。尚、情報処理装置としてのＰＣ（パーソナルコンピュータ）は、図１に示した画像通信装置としてのファクシミリ装置と接続され、ファクシミリシステムを構成するものである。
【００１６】
図２において、２０１はＣＰＵであり、ＰＣ全体の制御を行っている。２０２はＳＲＡＭであり、主にキャッシュメモリとして用いられる。２０３はＤＲＡＭであり、通信履歴管理データや諸データを格納するための主記憶として用いられる。２０４はネットワーク・アダプタであり、ネットワークを介して電子メールや情報を送受信するものである。２０５はグラフィック・コントローラであり、画像情報を制御するために用いられる。２０６はディスプレイであり、オペレータに所定情報を表示、通知するためのものであり、グラフィック・コントローラ２０５を介してＣＰＵ２０１に接続されている。
【００１７】
２０７はＳＣＳＩ（Ｓｍａｌｌ　Ｃｏｍｐｕｔｅｒ　Ｓｙｓｔｅｍ　Ｉｎｔｅｒｆａｃｅ）コントローラであり、ＳＣＳＩインターフェースで接続されているデバイスを制御するものである。２０８はハードディスクであり、アプリケーションプログラム等を記憶するための記憶装置の一つであり、ＳＣＳＩコントローラ２０７を介してＣＰＵ２０１に接続されている。２０９は入出力コントローラであり、複数の入出力装置を制御するものであり、フロッピー（登録商標）ディスクコントローラ２１０、マウス２１１、キーボード２１２、シリアルインターフェース２１４、パラレルインターフェース２１３が入出力コントローラ２０９を介してＣＰＵ２０１に接続される。２１０はフロッピー（登録商標）ディスクコントローラであり、外部記憶装置であるフロッピー（登録商標）ディスクへの書き込みや読み出しを行うためのものである。
【００１８】
２１１はマウスであり、オペレータが各種入力を操作を行うためのものである。２１２はキーボードであり、オペレータが各種入力操作を行うためのものである。２１３はパラレルインターフェースであり、パラレル形式のデータで、外部周辺機器と接続するためのインターフェースである。本ファクシミリシステムでは、画像通信装置（ファクシミリ装置）１００が接続されている。２１４はシリアルインターフェースであり、シリアル形式のデータで、外部周辺機器と接続するためのインターフェースである。２１５はＳＣＳＩインターフェースであり、ＳＣＳＩ形式のデータで、外部周辺機器と接続するためのインターフェースである。
【００１９】
次に、図２に示した情報処理装置としてのＰＣ（パーソナルコンピュータ）と画像通信装置としてのファクシミリ装置とが接続されたファクシミリシステムにおいて、ＰＣ（パーソナルコンピュータ）が主導で通信履歴管理データベースを更新する動作について説明する。
【００２０】
尚、以下に説明するＰＣ側の動作は、ハードディスク２０８に格納されているファクシミリシステムとしてのアプリケーションソフトウェアがＳＲＡＭに展開され、ＯＳ（オペレーションシステム）の管理下でＣＰＵ２０１が実行するものである。また、ＰＣ側での時間経過の計測は、ＯＳによって提供される時計機能によって処理するものとする。
【００２１】
図３は、通信終了時に通信履歴管理データベースを更新するＰＣ側とＦＡＸ側の動作を示すフローチャートである。まず、ＰＣ側の動作について説明する。
【００２２】
まずステップＳ１０１において、ＰＣ側はＦＡＸ側の通信状態を監視し、通信が終了したことをＦＡＸ側からのステータス情報によって検知するとステップＳ１０２へ進み、ＦＡＸ側で通信終了が検知されない場合は監視を続ける。次に、ステップＳ１０２において、ＦＡＸ側へ通信履歴データの要求コマンドを送出する。そして、ステップＳ１０３において、ＦＡＸ側から通信履歴データを受信したか否かを監視し、受信を検知した場合はステップＳ１０４へ進み、受信を検知しなかった場合は監視を続ける。次に、ステップＳ１０４において、ＦＡＸ側から受信した通信履歴データに基づき、図２に示すＤＲＡＭ２０３内に記憶されている通信履歴管理データベースを更新し、ステップＳ１０１に戻り、上述の動作を繰り返す。
【００２３】
次に、ＦＡＸ側の動作について説明する。
【００２４】
まずステップＳ２０１において、ＦＡＸ側はＰＣ側からの通信履歴データ要求コマンドを受信したか否かを監視し、受信を検知した場合はステップＳ２０２へ進み、受信を検知しなかった場合は監視を続ける。そして、ステップＳ２０２において、図１に示すワークメモリ１０３に格納されている通信履歴データをＰＣ側へ送出し、ステップＳ２０１に戻り、上述の動作を繰り返す。
【００２５】
図４は、一定時間経過時に通信履歴管理データベースを更新するＰＣ側とＦＡＸ側の動作を示すフローチャートである。まず、ＰＣ側の動作について説明する。
【００２６】
まずステップＳ３０１において、ＰＣ側は時間を計測し、一定時間が経過した場合、又は所定の時間になった場合にはステップＳ３０２へ進み、経過してない場合は計測を続ける。次に、ステップＳ３０２において、ＦＡＸ側へ通信履歴データの要求コマンドを送出する。そして、ステップＳ３０３において、ＦＡＸ側から通信履歴データを受信したか否かを監視し、受信を検知した場合はステップＳ３０４へ進み、受信を検知しなかった場合は監視を続ける。次に、ステップＳ３０４において、ＦＡＸ側から受信した通信履歴データに基づき、図２に示すＤＲＡＭ２０３内に記憶されている通信履歴管理データベースを更新し、ステップＳ３０１に戻り、上述の動作を繰り返す。
【００２７】
次に、ＦＡＸ側の動作について説明する。
【００２８】
まずステップＳ４０１において、ＦＡＸ側はＰＣ側からの通信履歴データ要求コマンドを受信したか否かを監視し、受信を検知した場合はステップＳ４０２へ進み、受信を検知しなかった場合は監視を続ける。そして、ステップＳ４０２において、図１に示すワークメモリ１０３に格納されている通信履歴データの中でまだＰＣ側へ送出していないデータが存在するか否かを調べ、存在していた場合にはステップＳ４０３へ進み、存在していない場合にはステップＳ４０１に戻り、上述の動作を繰り返す。次に、ステップＳ４０３において、まだＰＣ側へ送出していない図１のワークメモリ１０３に格納されている通信履歴データをＰＣ側へ送出し、この通信履歴データがＰＣ側へ送信された旨を記録して、ステップＳ４０１に戻り、上述の動作を繰り返す。
【００２９】
尚、ＦＡＸ側で原稿の送信が指示されたときに、メモリフルに近い状態の場合、送信動作を禁止しておき、その後、ＰＣ側から通信履歴データの要求があったときに、その送信動作の禁止を解除することにより、ステップＳ４０２で未送出の通信履歴データ有りとなり、ＰＣ側との整合性をとることができる。
【００３０】
次に、図２に示した情報処理装置としてのＰＣ（パーソナルコンピュータ）と画像通信装置としてのファクシミリ装置とが接続されたファクシミリシステムにおいて、ＰＣ（パーソナルコンピュータ）が主導で通信履歴管理データベースを更新する動作及び通信画像を保存する動作について説明する。
【００３１】
図５は、通信終了時に通信履歴管理データベースの更新及び通信画像の保存を行うＰＣ側とＦＡＸ側の動作を示すフローチャートである。まず、ＰＣ側の動作について説明する。
【００３２】
まずステップＳ５０１において、ＰＣ側はＦＡＸ側の通信状態を監視し、通信が終了したことをＦＡＸ側からのステータス情報によって検知するとステップＳ５０２へ進み、ＦＡＸ側で通信終了が検知されない場合は監視を続ける。次に、ステップＳ５０２において、ＦＡＸ側へ通信履歴データと通信画像を要求するコマンドを送出する。そして、ステップＳ５０３において、ＦＡＸ側から通信履歴データと通信画像を受信したか否かを監視し、受信を検知した場合はステップＳ５０４へ進み、受信を検知しなかった場合は監視を続ける。次に、ステップＳ５０４において、ＦＡＸ側から受信した通信履歴データに基づき、図２に示すＤＲＡＭ２０３内に記憶されている通信履歴管理データベースを更新し、更にＦＡＸ側から受信した通信画像を図２に示すＤＲＡＭ２０３内に記憶してステップＳ５０１に戻り、上述の動作を繰り返す。
【００３３】
次に、ＦＡＸ側の動作について説明する。
【００３４】
まずステップＳ６０１において、ＦＡＸ側はＰＣ側からの通信履歴データと通信画像を要求するコマンドを受信したか否かを監視し、受信を検知した場合はステップＳ６０２へ進み、受信を検知しなかった場合は監視を続ける。そして、ステップＳ６０２において、図１に示すワークメモリ１０３に格納されている通信履歴データと図１に示す画像メモリ１０４に格納されている通信画像をＰＣ側へ送出し、ステップＳ６０１に戻り、上述の動作を繰り返す。
【００３５】
図６は、一定時間経過時に通信履歴管理データベースの更新及び通信画像の保存を行うＰＣ側とＦＡＸ側の動作を示すフローチャートである。まず、ＰＣ側の動作について説明する。
【００３６】
まずステップＳ７０１において、ＰＣ側は時間を計測し、一定時間が経過した場合にはステップＳ７０２へ進み、経過してない場合は計測を続ける。次に、ステップＳ７０２において、ＦＡＸ側へ通信履歴データと通信画像の要求コマンドを送出する。そして、ステップＳ７０３において、ＦＡＸ側から通信履歴データと通信画像を受信したか否かを監視し、受信を検知した場合はステップＳ７０４へ進み、受信を検知しなかった場合は監視を続ける。次に、ステップＳ７０４において、ＦＡＸ側から受信した通信履歴データに基づき、図２に示すＤＲＡＭ２０３内に記憶されている通信履歴管理データベースを更新し、更にＦＡＸ側から受信した通信画像を図２に示すＤＲＡＭ２０３内に記憶してステップＳ７０１に戻り、上述の動作を繰り返す。
【００３７】
次に、ＦＡＸ側の動作について説明する。
【００３８】
まずステップＳ８０１において、ＦＡＸ側はＰＣ側からの通信履歴データと通信画像を要求するコマンドを受信したか否かを監視し、受信を検知した場合はステップＳ８０２へ進み、受信を検知しなかった場合は監視を続ける。そして、ステップＳ８０２において、図１に示すワークメモリ１０３に格納されている通信履歴データの中でまだＰＣ側へ送出していないデータが存在するか否かを調べ、存在していた場合にはステップＳ８０３へ進み、存在していない場合にはステップＳ８０１に戻り、上述の動作を繰り返す。そして、ステップＳ８０３において、まだＰＣ側へ送出していない図１に示すのワークメモリ１０３に格納されている通信履歴データをＰＣ側へ送出し、この通信履歴データがＰＣ側へ送信された旨を記録してステップＳ８０１に戻り、上述の動作を繰り返す。
【００３９】
以上説明したように、実施形態によれば、情報処理装置が主導的に、情報処理装置に接続されている画像通信装置の通信履歴を獲得することができ、情報処理装置が必要に応じて通信履歴管理を行うことができるという効果を奏する。
【００４０】
また、情報処理装置が立ち上がっていなかったり、画像通信装置が接続されていない状態で画像通信装置側で通信処理が行われた場合に、情報処理装置を立ち上げ画像通信装置が接続された状態になったとき、速やかに情報処理装置が通信履歴情報を獲得することを可能とし、整合性の取れた通信履歴管理を行うことができるという効果を奏する。
【００４１】
また、情報処理装置が立ち上がっていなかったり、画像通信装置が接続されていない状態で画像通信装置側がメモリフルになってしまった場合、情報処理装置から通信履歴情報の要求があるまで送信動作を禁止し、情報処理装置の通信履歴管理データベースに反映できない通信履歴情報を発生させないようにすることで、画像通信装置との整合性の取れた通信履歴管理を行うことができるという効果を奏する。
【００４２】
更に、情報処理装置は通信履歴データだけでなく、通信履歴に伴う通信画像も必要に応じて獲得することを可能とし、過去の通信時にどのような画像を送ったか、或いは受信したかを確認でき、またこれらの画像を何度でもプリントアウトしたり転送するなどの再利用することも可能にする効果を奏する。
【００４３】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００４４】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００４５】
この場合、記録媒体から読出されたプログラムコード自体が前述した実施形態の機能を実現することになり、そのプログラムコードを記憶した記録媒体は本発明を構成することになる。
【００４６】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００４７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００４８】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００４９】
【発明の効果】
以上説明したように、本発明によれば、情報処理装置が主導で画像通信装置により通信された通信に関する情報を管理する通信履歴管理情報を更新することが可能となる。
【図面の簡単な説明】
【図１】実施形態におけるファクシミリ装置の構成を示すブロック図である。
【図２】実施形態におけるＰＣ（パーソナルコンピュータ）の構成を示すブロック図である。
【図３】通信終了時に通信履歴管理データベースを更新するＰＣ側とＦＡＸ側の動作を示すフローチャートである。
【図４】一定時間経過時に通信履歴管理データベースを更新するＰＣ側とＦＡＸ側の動作を示すフローチャートである。
【図５】通信終了時に通信履歴管理データベースの更新及び通信画像の保存を行うＰＣ側とＦＡＸ側の動作を示すフローチャートである。
【図６】一定時間経過時に通信履歴管理データベースの更新及び通信画像の保存を行うＰＣ側とＦＡＸ側の動作を示すフローチャートである。
【符号の説明】
１０１　ＣＰＵ
１０２　ＲＯＭ
１０３　ワークメモリ
１０４　画像メモリ
１０５　画像処理部
１０６　表示部
１０７　記録制御処理部
１０８　画像データの伸長／圧縮処理部
１０９　ＰＣ−インターフェース制御部
１１０　双方向インターフェース
１１１　読取制御部
１１２　シート原稿読取り部
１１３　ラインバッファ
１１４　プリンタインターフェース
１１５　記録部
１１６　通信部
１１７　計時部
１１８　Ｐ１２８４（Ｂｉ−ｃｅｎｔｒｏ）ケーブル
１１９　モジュラーケーブル
２０１　ＣＰＵ
２０２　ＳＲＡＭ
２０３　ＤＲＡＭ
２０４　ネットワーク・アダプタ
２０５　グラフィック・コントローラ
２０６　ディスプレイ
２０７　ＳＣＳＩ（Ｓｍａｌｌ　Ｃｏｍｐｕｔｅｒ　Ｓｙｓｔｅｍ　Ｉｎｔｅｒｆａｃｅ）コントローラ
２０８　ハードディスク
２０９　入出力コントローラ
２１０　フロッピー（登録商標）ディスクコントローラ
２１１　マウス
２１２　キーボード
２１３　パラレルインターフェース
２１４　シリアルインターフェース
２１５　ＳＣＳＩインターフェース
【図１】
2004032096.tif 000003
【図２】
2004032096.tif 000004
【図３】
2004032096.tif 000005
【図４】
2004032096.tif 000006
【図５】
2004032096.tif 000007
【図６】
2004032096.tif 000008